【手続補正書】
【提出日】平成19年7月3日(2007.7.3)
【手続補正１】
【補正対象書類名】特許請求の範囲
【補正対象項目名】全文
【補正方法】変更
【補正の内容】
【特許請求の範囲】
【請求項１】
支持体、およびその上にある１つ以上のコーティング層を含むインキジェット記録媒体系であって、少なくとも１つのコーティング層が、
アクリレート単量体およびアクリルアミド単量体からなる群より選ばれる少なくとも１種の単量体、
アミン含有エチレン性不飽和単量体類からなる群より選ばれる少なくとも１種の単量体、および
ポリオールのポリアクリレート類からなる群より選ばれる少なくとも１種の単量体、
に由来する単量体単位を含むコポリマーまたはコオリゴマーを含み、しかも、
コポリマーまたはコオリゴマーが酸で少なくとも部分中和される、
ことからなるインキジェット記録媒体系。
【請求項２】
コポリマーまたはコオリゴマーが、アクリレート単量体およびアクリルアミド単量体からなる群より選ばれる少なくとも１種の単量体に由来する約２０〜約８０重量％の単量体単位と、アミン含有エチレン性不飽和単量体類からなる群より選ばれる少なくとも１種の単量体に由来する約２０〜約８０重量％の単量体単位と、ポリオールのポリアクリレート類からなる群より選ばれる少なくとも１種の単量体に由来する約０．０１〜約１０重量％の単量体単位とを含む、請求項１記載の記録媒体系。
【請求項３】
少なくとも１つのコーティング層が、乾燥前に水中で測定して約３〜約７のｐＨを有する、請求項１記載の記録媒体系。
【請求項４】
アクリレート単量体が、１〜２２個の炭素原子を含有するアルコールのアクリル酸エステルまたはメタクリル酸エステルであり、
アミン含有エチレン性不飽和単量体が、ジアルキルアミノアルキルアクリレートまたはメタクリレート、ジアルキルアミノアルキルアクリルアミドまたはメタクリルアミド、アリルアミン、２−ビニルピリジン、４−ビニルピリジン、およびＮ’，Ｎ’−ジメチルアミノエチル−Ｎ，Ｎ−ジメチルアンモニウム−Ｎ−プロピルメタクリレートクロリドからなる群より選ばれ、そして
ポリオールのポリアクリレート類が、芳香族、脂肪族または脂環式ポリオールのアクリル酸エステルおよびメタクリル酸エステルからなる群より選ばれる、
請求項１記載の記録媒体系。
【請求項５】
アクリレート単量体が、アクリル酸、メタクリル酸、メチルアクリレート、エチルアクリレート、ブチルアクリレート、２−エチルヘキシルアクリレート、イソボルニルアクリレート、メチルメタクリレート、エチルメタクリレート、およびブチルメタクリレートからなる群より選ばれ、そしてアクリルアミド単量体が、アクリルアミド、メタクリルアミド、Ｎ−メチルアクリルアミド、Ｎ，Ｎ−ジメチルアクリルアミド、Ｎ，Ｎ−ジメチル（メタ）アクリルアミド、Ｎ−イソプロピル（メタ）アクリルアミド、ジアセトンアクリルアミド、およびＮ−モルホリノアクリルアミドからなる群より選ばれ、
アミン含有エチレン性不飽和単量体が、ジメチルアミノエチルアクリレート、ジメチルアミノエチルメタクリレート、ジエチルアミノエチルメタクリレート、ジメチルアミノプロピルアクリルアミド、ｔ−ブチルアミノエチルメタクリレート、ジメチルアミノプロピルメタクリルアミド、アリルアミン、２−ビニルピリジン、４−ビニルピリジン、および、Ｎ’，Ｎ’−ジメチルアミノエチル−Ｎ，Ｎ−ジメチルアンモニウム−Ｎ−プロピルメタクリレートクロリドからなる群より選ばれ、そして
ポリオールのポリアクリレートが、ヒドロキノン、４，４’−ジヒドロキシジフェニル、２，２−ビス（４−ヒドロキシフェニル）−プロパン、クレゾールの、または２〜１２個の炭素原子を含有するアルキレンポリオールのアクリル酸エステルおよびメタクリル酸エステルからなる群より選ばれる、
請求項１記載の記録媒体系。
【請求項６】
アクリレート単量体およびアクリルアミド単量体が、アクリルアミド、メタクリルアミド、メチルアクリレート、メチルメタクリレート、ジアセトンアクリルアミド、およびＮ，Ｎ−ジメチルアクリルアミドからなる群より選ばれ、
アミン含有エチレン性不飽和単量体が、ジメチルアミノプロピルアクリルアミド、ジメチルアミノプロピルメタクリルアミド、ジメチルアミノエチルメタクリレート、およびｔ−ブチルアミノエチルメタクリレートからなる群より選ばれ、そして
ポリオールのポリアクリレートが、エチレングリコールジアクリレート、プロピレングリコールジアクリレート、ネオペンチルグリコールジアクリレート、ヘキサメチレングリコールジアクリレート、１，４−ブタンジオールジアクリレート、１，４−ブタンジオールジメタクリレート、ビスフェノールＡジアクリレート、ビスフェノールＡジメタクリレート、４，４’−ビス（２−アクリロイルオキシエトキシ）ジフェニルプロパン、トリメチロールプロパントリアクリレート、トリス（２−アクリロイルエチル）イソシアヌレート、トリメチロールエタントリアクリレート、トリメチロールプロパントリメタクリレート、トリメチロールエタントリメタクリレート、テトラメチレングリコールジメタクリレート、トリエチレングリコールジメタクリレート、テトラメチレングリコールジアクリレート、ペンタエリスリトールジアクリレート、ペンタエリスリトールトリアクリレート、ペンタエリスリトールテトラアクリレート、ジペンタエリスリトールジアクリレート、ジペンタエリスリトールトリアクリレート、ジペンタエリスリトールテトラアクリレート、ジペンタエリスリトールペンタアクリレート、ジペンタエリスリトールヘキサアクリレート、トリペンタエリスリトールオクタアクリレート、ペンタエリスリトールジメタクリレート、ペンタエリスリトールトリメタクリレート、ジペンタエリスリトールジメタクリレート、ジペンタエリスリトールテトラメタクリレート、トリペンタエリスリトールオクタメタクリレート、１，３−ブタンジオールジアクリレート、１，３−ブタンジオールジメタクリレート、ソルビトールトリアクリレート、ソルビトールテトラアクリレート、ペンタエリスリトール−変性トリアクリレート、ソルビトールテトラメタクリレート、ソルビトールペンタアクリレート、ソルビトールヘキサアクリレート、グリセロールジ−またはトリ−アクリレート、および１，４−シクロヘキサンジアクリレートからなる群より選ばれる、
請求項１記載の記録媒体系。
【請求項７】
コポリマーまたはコオリゴマーが、
アクリルアミド、メタクリルアミド、メチルアクリレート、メチルメタクリレート、ジアセトンアクリルアミド、およびＮ，Ｎ−ジメチルアクリルアミドからなる群より選ばれる少なくとも１種の単量体、
ジメチルアミノエチルメタクリレート、ｔ−ブチルアミノエチルメタクリレート、およびジメチルアミノプロピルメタクリルアミドからなる群より選ばれる少なくとも１種の単量体、および
ペンタエリスリトールトリアクリレート、
に由来する単量体単位を含む、請求項６記載の記録媒体系。
【請求項８】
コポリマーまたはコオリゴマーが、
メチルメタクリレート、
ジメチルアミノエチルメタクリレート、またはｔ−ブチルアミノエチルメタクリレート、および
ペンタエリスリトールトリアクリレート、
に由来する単量体単位を含む、請求項７記載の記録媒体系。
【請求項９】
コポリマーまたはコオリゴマーが更に、関連単量体、第四級アンモニウム基を含有するエチレン性不飽和単量体、ヒドロキシ含有エチレン性不飽和単量体、および他のエチレン性不飽和単量体からなる群より選ばれる少なくとも１種のエチレン性不飽和単量体に由来する単量体単位を含む、請求項１〜８のいずれか１項記載の記録媒体系。
【請求項１０】
コポリマーまたはコオリゴマーが更に、
ステアリルエトキシ（２０）メタクリレート、ステアリルエトキシ（１０）アリルエーテル、ポリ（エチレングリコール）（メタ）アクリレート、ポリ（エチレングリコール）モノメチルエーテルモノ（メタ）アクリレート、ポリ（エチレングリコール）アクリレート、および、ポリ（エチレングリコール）モノメチルエーテルモノアクリレートからなる群より選ばれる関連単量体、
ビニルベンジルトリメチルアンモニウムクロリド、メタクリロイルオキシエチルトリメチルアンモニウムクロリド、メタクリルアミドプロピルトリメチルアンモニウムクロリド、Ｎ，Ｎ−ジメチルアミノエチルアクリレートメチルクロリド第四級塩（DMAEA.MCQ）、およびジアリルジメチルアンモニウムクロリド（DADMAC）からなる群より選ばれる第四級アンモニウム基を含有するエチレン性不飽和単量体、
Ｎ−メチロールアクリルアミド、Ｎ−メチロールメタクリルアミド、Ｎ−（２−ヒドロキシプロピル）アクリルアミド、Ｎ−（２−ヒドロキシプロピル）メタクリルアミド、２−ヒドロキシエチルアクリレート、２−ヒドロキシエチル（メタ）アクリレート（ＨＥＭＡ）、ヒドロキシプロピルアクリレート、ヒドロキシプロピル（メタ）アクリレート、ヒドロキシブチルアクリレート、ヒドロキシブチル（メタ）アクリレート、ブタンジオールモノビニルエーテル、およびアリルアルコールからなる群より選ばれるヒドロキシ含有エチレン性不飽和単量体、および、
Ｎ−ビニル−２−ピロリドン、ビニルメチルウルホン、酢酸ビニル、Ｎ−ビニルホルムアミド、Ｎ−ビニルアセトアミド、Ｎ−ビニル−Ｎ−メチルアセトアミド、スチレン、α−メチルスチレンのような置換スチレン、アクリロニトリル、メタクリロニトリル、塩化ビニル、塩化ビニリデン、ビニルエーテル、ビニルエステル、およびＮ−ビニルアミドからなる群より選ばれる他のエチレン性不飽和単量体、
からなる群より選ばれる少なくとも１種のエチレン性不飽和単量体に由来する単量体単位を含む、請求項９記載の記録媒体系。
【請求項１１】
コポリマーまたはコオリゴマーが、
メチルメタクリレート、
ジメチルアミノエチルメタクリレート、またはｔ−ブチルアミノエチルメタクリレート、
ペンタエリスリトールトリアクリレート、および
ステアリルエトキシ（１０）アリルエーテル、またはポリ（エチレングリコール）３５０モノメチルエーテルモノ（メタ）アクリレート、
に由来する単量体単位を含む、請求項９記載の記録媒体系。
【請求項１２】
支持体の上に直接付着するコーティングを含み、しかも該コーティングがコポリマーまたはコオリゴマーを含む、請求項１記載の記録媒体系。
【請求項１３】
支持体と、
少なくとも１つのインキジェットインキ受理性層と、
場合により、保護コーティング層と、
を含み、該インキジェットインキ受理性層のうちの１つまたは１つよりも多くがコポリマーまたはコオリゴマーを含み、または保護コーティング層がコポリマーまたはコオリゴマーを含み、またはインキジェットインキ受理性層および保護コーティング層の両方の層がコポリマーまたはコオリゴマーを含む、請求項１記載の記録媒体系。
【請求項１４】
更に支持体と１つまたは複数のインキ受理性層との間にバリヤー層を含む、請求項１３記載の記録媒体系。
【請求項１５】
更にインキジェットインキを含む、請求項１記載の記録媒体系。
【請求項１６】
支持体が、セルロースエステル、セルロースアセテート、ポリエステル、ポリスチレン、ポリエチレン、ポリ（酢酸ビニル）、ポリプロピレン、ポリカーボネート、ポリメタクリル酸、ならびにメチルエステル、エチルエステル、ナイロンのようなポリアミド、ポリ（エチレンテレフタレート）（ＰＥＴ）のようなポリエステル、ポリイミド、ポリエーテル、ポリ塩化ビニル、またはポリスルホンアミドを含む、請求項１記載の記録媒体系。
【請求項１７】
アクリレート単量体およびアクリルアミド単量体からなる群より選ばれる少なくとも１種の単量体、
アミン含有エチレン性不飽和単量体類からなる群より選ばれる少なくとも１種の単量体、および
ポリオールのポリアクリレート類からなる群より選ばれる少なくとも１種の単量体、
に由来する単量体単位を含むコポリマーまたはコオリゴマーを含む、インキジェットインキ。
【請求項１８】
ナノポーラスまたはミクロポーラスコーティング層を含む、請求項１記載の記録媒体系。
【請求項１９】
酸が、鉱酸、カルボン酸またはスルホン酸からなる群より選ばれる、請求項１記載の記録媒体系。
【請求項２０】
使用する酸が酢酸である、請求項１９記載の記録媒体系。